(57)【要約】【課題】  複数の引起装置を上方へ回動させて広いメンテナンス空間を形成し、メンテナンス作業を容易にする。【解決手段】  中央の引起装置（６１）と一体の中間引起フレーム（５８）を中間上部引起伝動軸（４５ｂ）上部の回動軸（４９）で回動自在に支持し、中間上部引起伝動軸（４５ｂ）に設けた第２上手側ギア（４３ａ）と中間引起フレーム（５８）に設けた中間引起入力伝動軸（５３）の第２下手側ギア（５０ａ）とを対向配置して動力を伝達して中央の引起装置（６１）に動力を伝達し、回動軸（４９）回りに中間引起フレーム（５８）を下方に回動すると、第２上手側ギア（４３ａ）と第２下手側ギア（５０ａ）が噛み合って動力伝達状態になり、上部引起伝動筒体（４６）を上方に回動すると、第２上手側ギア（４３ａ）と前記第２下手側ギア（５０ａ）との噛合いが離脱して非動力伝達状態となる構成とした。【選択図】図１１
2012005462.tif 000002
【特許請求の範囲】
【請求項１】
後フレーム（３３）の前側端部に左右方向に沿わせて下部伝動ケース（３４）を設け、該下部伝動ケース（３４）の左右一側に引起伝動軸（４１）の内装されている引起伝動筒体（４２）を立設し、該引起伝動筒体（４２）の上端に左右方向の上部引起伝動軸（４５）を内装する上部引起伝動筒体（４６）を設け、上部引起伝動軸（４５）から複数の引起装置（６１）を連動して駆動する刈取搬送装置において、前記上部引起伝動軸（４５）よりも上側に配置した回動軸（４９）によって、複数の引起装置（６１）を一体で上下回動自在に軸支し、該複数の引起装置（６１）を下方回動させると、上部引起伝動軸（４５）側に設けた上手側ギア（４３）と、引起装置（６１）側に対向配置した下手側ギア（５０）とが噛み合って引起装置(６１）へ駆動力が伝達される状態となり、前記複数の引起装置（６１）を上方回動させると、前記上手側ギア（４３）と下手側ギア（５０）との噛み合いが外れて引起装置（６１）へ駆動力が伝達されない状態となる構成としたことを特徴とする刈取搬送装置。
【請求項２】
後フレーム（３３）の前側端部に左右方向に沿わせて下部伝動ケース（３４）を設け、該下部伝動ケース（３４）の左右一側に引起伝動軸（４１）の内装されている引起伝動筒体（４２）を立設し、該引起伝動筒体（４２）を介して駆動される複数の引起装置（６１）を備えた刈取搬送装置において、前記引起伝動筒体（４２）の上端に上手側ギヤ（４３）を左右方向の軸回りに回転自在に軸架し、該上手側ギヤ（４３）に引起伝動軸（４１）から動力を伝達する構成とし、前記引起伝動筒体（４２）の上方に左右方向に沿った上部引起伝動軸（４５）の内装されている上部引起伝動筒体（４６）を配設し、該上部引起伝動軸（４５）の左右一側端部に下手側ギヤ（５０）を取り付けて前記上手側ギヤ（４３）の上方に対向配置し、前記上部引起伝動軸（４５）を、左側上部引起伝動軸（４５ａ）と、中間上部引起伝動軸（４５ｂ）と、右側上部引起伝動軸（４５ｃ）とに分割形成し、左側上部引起伝動軸（４５ａ）及び右側上部引起伝動軸（４５ｃ）を前側下方の同一軸芯上に配置すると共に中間上部引起伝動軸（４５ｂ）を後側上方に平行状に配置して互いに連動させ、前記左側上部引起伝動軸（４５ａ）から下方の左側引起入力伝動軸（５５）を経由して左側の引起装置（６１）に動力を伝達する構成とし、前記右側上部引起伝動軸（４５ｃ）から下方の右側引起入力伝動軸（５１）を経由して右側の引起装置（６１）に動力を伝達する構成とし、前記中間上部引起伝動軸（４５ｂ）の下方部位に中央の引起装置（６１）と一体の中間引起フレーム（５８）を中間上部引起伝動軸（４５ｂ）上部の回動軸（４９）で回動自在に支持し、前記中間上部引起伝動軸（４５ｂ）に設けた第２上手側ギア（４３ａ）と中間引起フレーム（５８）内の中間引起入力伝動軸（５３）に設けた第２下手側ギア（５０ａ）とを対向配置し、前記回動軸（４９）回りに中間引起フレーム（５８）を下方に回動すると、前記第２上手側ギア（４３ａ）と前記第２下手側ギア（５０ａ）が噛み合って中央の引起装置（６１）に動力が伝達される状態になり、上部引起伝動筒体（４６）を上方に回動すると、第２上手側ギア（４３ａ）と前記第２下手側ギア（５０ａ）との噛合いが離脱して中央の引起装置（６１）に動力が伝達されない状態となる構成としたことを特徴とする刈取搬送装置。
【請求項３】
立毛穀稈引起し用の複数の引起装置（６１）を備え、後フレーム（３３）の前側端部に左右方向に沿わせて下部伝動ケース（３４）を設け、該下部伝動ケース（３４）の左右一側に引起伝動軸（４１）の内装されている引起伝動筒体（４２）を立設した刈取搬送装置において、該引起伝動筒体（４２）の上端に左右方向に沿わせた上部引起伝動軸（４５）の内装されている上部引起伝動筒体（４６）を配設して、前記引起伝動軸（４１）から上部引起伝動軸（４５）の左右一側に動力を伝達し、前記下部伝動ケース（３４）の左右他側に右引起入力伝動軸（５１）の内装されている右引起入力伝動筒体（５２）を立設して下部伝動ケース（３４）に内装されている下部伝動軸（３４ａ）から動力を伝達し、前記右引起入力伝動軸（５１）の上部から右側の引起装置（６１）へ引起動力を伝達し、前記上部引起伝動軸（４５）の下方部位に中間引起フレーム（５８）を配設し、該中間引起フレーム（５８）の上端部で且つ前記上部引起伝動軸（４５）より上方部位を左右方向の回動軸（４９）により上下回動自在に軸支し、前記中間引起フレーム（５８）側に第２下手側ギヤ（５０ａ）を設け、該第２下手側ギヤ（５０ａ）から下方の中間引起入力伝動軸５３を経由して中央の引起装置（６１）に引起動力を伝達する構成とし、前記上部引起伝動軸（４５）側に設けている第２上手側ギヤ（４３ａ）と前記第２下手側ギヤ（５０ａ）とを上下に対向配置し、前記回動軸（４９）回りに中間引起フレーム（５８）を下方に回動すると、第２上手側ギヤ（４３ａ）と第２下手側ギヤ（５０ａ）とが噛み合って動力が伝達される状態となり、回動軸（４９）回りに中間引起フレーム（５８）を上方に回動すると、第２上手側ギヤ（４３ａ）と第２下手側ギヤ（５０ａ）との噛み合いが外れて動力が伝達されない状態となる構成としたことを特徴とする刈取搬送装置。
【請求項４】
立毛穀稈引起し用の複数の引起装置（６１）を備え、後フレーム（３３）の前側端部に左右方向に沿わせて下部伝動ケース（３４）を設け、該下部伝動ケース（３４）の左右一側に引起伝動軸（４１）の内装されている引起伝動筒体（４２）を立設した刈取搬送装置において、前記下部伝動ケース（３４）の左右他側に右引起入力伝動軸（５１）の内装されている右引起入力伝動筒体（５２）を立設し、下部伝動ケース（３４）に内装されている下部伝動軸（３４ａ）から右引起入力伝動軸（５１）に動力を伝達し更に入力伝動軸（５１）から右側の引起装置（６１）に引起動力を伝達し、前記引起伝動筒体（４２）の上方には左右方向に沿った上部引起伝動軸（４５）の内装されている上部引起伝動筒体（４６）を配設し、該上部引起伝動筒体（４６）の左右他側に中間引起フレーム（５８）を一体で設け、該中間引起フレーム（５８）に左引起入力伝動軸（５５）及び中間引起伝動軸（５３）を支架して前記上部引起伝動軸（４５）から動力を伝達し、各々左側の引起装置（６１）及び中央の引起装置（６１）に引起動力を伝達する構成とし、中間引起フレーム（５８）を前記上部引起伝動筒体（４６）の上端部で且つ前記上部引起伝動軸（４５）よりも上方部位を左右方向の回動軸（４９）により上下回動自在に軸支し、前記上部引起伝動軸（４５）の左右一側に下手側ギヤ（５０）を取り付けて前記上手側ギヤ（４３）の上方に対向配置し、前記回動軸（４９）回りに上部引起伝動筒体（４６）及び中間引起フレーム（５８）を下方に回動すると、上手側ギヤ（４３）と下手側ギヤ（５０）とが噛合って動力が伝達される状態となり、回動軸（４９）回りに上部引起伝動筒体（４６）及び中間引起フレーム（５８）を上方に回動すると、上手側ギヤ（４３）と下手側ギヤ（５０）との噛み合いが外れて動力が伝達されない状態となる構成としたことを特徴とするコンバイン。
【請求項５】
前記刈取搬送部（６）の後方に設けている操縦部（５）の側方に位置する防塵カバー（６３）により、前記回動軸（４９）、中間上部引起伝動軸（４５ｂ）及び前記刈取搬送部（６）の穀稈搬送装置を覆う構成としたことを特徴とする請求項１又は請求項２又は請求項３記載の刈取搬送装置。
【請求項６】
前記中間引起フレーム（５８）を前記回動軸（４９）回りに前記防塵カバー（６３）の左右両側方に配置した左右昇降シリンダ（５８，５８）により上下回動する構成としたことを特徴とする請求項１又は請求項２又は請求項３又は請求項４記載の刈取搬送装置。
【発明の詳細な説明】
【技術分野】
【０００１】
この発明は、コンバインの刈取搬送装置に関するものである。
【背景技術】
【０００２】
コンバインの穀稈引起装置において、引起伝動筒体の上端部に出力軸を備えた伝動ケースを取り付け、引起ケースの上部に入力軸を備えた駆動スプロケットを軸支し、駆動スプロケットに多数の引起爪を備えたチェンを巻き掛けて引起装置を構成し、引起装置の上方に配置した左右方向の軸芯を中心として上下回動自在に支持し、引起装置の非刈取位置への上昇回動によって出力軸と入力軸とが分離するように構成し、刈取装置のメンテナンスを容易にしたものは、公知である。
【先行技術文献】
【特許文献】
【０００３】
【特許文献１】特開２００９−２６１３４９号公報
【発明の概要】
【発明が解決しようとする課題】
【０００４】
前記先行技術では、複数の引起装置をそれぞれ別個に上方へ回動しメンテナンス空間を形成する構成であり、引起装置を単一の操作でメンテナンス空間を形成できないという問題があり、メンテナンスに際しては、各引起装置の伝動継手分離を伴うものであり、再び作業状態に戻すために刈取装置側からの出力軸と引起装置側の入力軸の位置合せをする必要があるために、メンテナンス作業に多くの労力を要する問題がある。
【０００５】
本発明の課題は、かかる問題を解消し、所定幅の引起装置を一挙に上方へ回動し所定広さのメンテナンス空間を形成することを目的とする。
【課題を解決するための手段】
【０００６】
この発明は、上記課題を解決すべく次のような技術的手段を講じた。
即ち、請求項１記載の発明は、後フレーム（３３）の前側端部に左右方向に沿わせて下部伝動ケース（３４）を設け、該下部伝動ケース（３４）の左右一側に引起伝動軸（４１）の内装されている引起伝動筒体（４２）を立設し、該引起伝動筒体（４２）の上端に左右方向の上部引起伝動軸（４５）を内装する上部引起伝動筒体（４６）を設け、上部引起伝動軸（４５）から複数の引起装置（６１）を連動して駆動する刈取搬送装置において、前記上部引起伝動軸（４５）よりも上側に配置した回動軸（４９）によって、複数の引起装置（６１）を一体で上下回動自在に軸支し、該複数の引起装置（６１）を下方回動させると、上部引起伝動軸（４５）側に設けた上手側ギア（４３）と、引起装置（６１）側に対向配置した下手側ギア（５０）とが噛み合って引起装置(６１）へ駆動力が伝達される状態となり、前記複数の引起装置（６１）を上方回動させると、前記上手側ギア（４３）と下手側ギア（５０）との噛み合いが外れて引起装置（６１）へ駆動力が伝達されない状態となる構成としたことを特徴とする刈取搬送装置とした。
【０００７】
請求項２記載の発明は、後フレーム（３３）の前側端部に左右方向に沿わせて下部伝動ケース（３４）を設け、該下部伝動ケース（３４）の左右一側に引起伝動軸（４１）の内装されている引起伝動筒体（４２）を立設し、該引起伝動筒体（４２）を介して駆動される複数の引起装置（６１）を備えた刈取搬送装置において、前記引起伝動筒体（４２）の上端に上手側ギヤ（４３）を左右方向の軸回りに回転自在に軸架し、該上手側ギヤ（４３）に引起伝動軸（４１）から動力を伝達する構成とし、前記引起伝動筒体（４２）の上方に左右方向に沿った上部引起伝動軸（４５）の内装されている上部引起伝動筒体（４６）を配設し、該上部引起伝動軸（４５）の左右一側端部に下手側ギヤ（５０）を取り付けて前記上手側ギヤ（４３）の上方に対向配置し、前記上部引起伝動軸（４５）を、左側上部引起伝動軸（４５ａ）と、中間上部引起伝動軸（４５ｂ）と、右側上部引起伝動軸（４５ｃ）とに分割形成し、左側上部引起伝動軸（４５ａ）及び右側上部引起伝動軸（４５ｃ）を前側下方の同一軸芯上に配置すると共に中間上部引起伝動軸（４５ｂ）を後側上方に平行状に配置して互いに連動させ、前記左側上部引起伝動軸（４５ａ）から下方の左側引起入力伝動軸（５５）を経由して左側の引起装置（６１）に動力を伝達する構成とし、前記右側上部引起伝動軸（４５ｃ）から下方の右側引起入力伝動軸（５１）を経由して右側の引起装置（６１）に動力を伝達する構成とし、前記中間上部引起伝動軸（４５ｂ）の下方部位に中央の引起装置（６１）と一体の中間引起フレーム（５８）を中間上部引起伝動軸（４５ｂ）上部の回動軸（４９）で回動自在に支持し、前記中間上部引起伝動軸（４５ｂ）に設けた第２上手側ギア（４３ａ）と中間引起フレーム（５８）内の中間引起入力伝動軸（５３）に設けた第２下手側ギア（５０ａ）とを対向配置し、前記回動軸（４９）回りに中間引起フレーム（５８）を下方に回動すると、前記第２上手側ギア（４３ａ）と前記第２下手側ギア（５０ａ）が噛み合って中央の引起装置（６１）に動力が伝達される状態になり、上部引起伝動筒体（４６）を上方に回動すると、第２上手側ギア（４３ａ）と前記第２下手側ギア（５０ａ）との噛合いが離脱して中央の引起装置（６１）に動力が伝達されない状態となる構成としたことを特徴とする刈取搬送装置とした。
【０００８】
請求項３記載の発明は、立毛穀稈引起し用の複数の引起装置（６１）を備え、後フレーム（３３）の前側端部に左右方向に沿わせて下部伝動ケース（３４）を設け、該下部伝動ケース（３４）の左右一側に引起伝動軸（４１）の内装されている引起伝動筒体（４２）を立設した刈取搬送装置において、該引起伝動筒体（４２）の上端に左右方向に沿わせた上部引起伝動軸（４５）の内装されている上部引起伝動筒体（４６）を配設して、前記引起伝動軸（４１）から上部引起伝動軸（４５）の左右一側に動力を伝達し、前記下部伝動ケース（３４）の左右他側に右引起入力伝動軸（５１）の内装されている右引起入力伝動筒体（５２）を立設して下部伝動ケース（３４）に内装されている下部伝動軸（３４ａ）から動力を伝達し、前記右引起入力伝動軸（５１）の上部から右側の引起装置（６１）へ引起動力を伝達し、前記上部引起伝動軸（４５）の下方部位に中間引起フレーム（５８）を配設し、該中間引起フレーム（５８）の上端部で且つ前記上部引起伝動軸（４５）より上方部位を左右方向の回動軸（４９）により上下回動自在に軸支し、前記中間引起フレーム（５８）側に第２下手側ギヤ（５０ａ）を設け、該第２下手側ギヤ（５０ａ）から下方の中間引起入力伝動軸５３を経由して中央の引起装置（６１）に引起動力を伝達する構成とし、前記上部引起伝動軸（４５）側に設けている第２上手側ギヤ（４３ａ）と前記第２下手側ギヤ（５０ａ）とを上下に対向配置し、前記回動軸（４９）回りに中間引起フレーム（５８）を下方に回動すると、第２上手側ギヤ（４３ａ）と第２下手側ギヤ（５０ａ）とが噛み合って動力が伝達される状態となり、回動軸（４９）回りに中間引起フレーム（５８）を上方に回動すると、第２上手側ギヤ（４３ａ）と第２下手側ギヤ（５０ａ）との噛み合いが外れて動力が伝達されない状態となる構成としたことを特徴とする刈取搬送装置とした。
【０００９】
請求項４記載の発明は、立毛穀稈引起し用の複数の引起装置（６１）を備え、後フレーム（３３）の前側端部に左右方向に沿わせて下部伝動ケース（３４）を設け、該下部伝動ケース（３４）の左右一側に引起伝動軸（４１）の内装されている引起伝動筒体（４２）を立設した刈取搬送装置において、前記下部伝動ケース（３４）の左右他側に右引起入力伝動軸（５１）の内装されている右引起入力伝動筒体（５２）を立設し、下部伝動ケース（３４）に内装されている下部伝動軸（３４ａ）から右引起入力伝動軸（５１）に動力を伝達し更に入力伝動軸（５１）から右側の引起装置（６１）に引起動力を伝達し、前記引起伝動筒体（４２）の上方には左右方向に沿った上部引起伝動軸（４５）の内装されている上部引起伝動筒体（４６）を配設し、該上部引起伝動筒体（４６）の左右他側に中間引起フレーム（５８）を一体で設け、該中間引起フレーム（５８）に左引起入力伝動軸（５５）及び中間引起伝動軸（５３）を支架して前記上部引起伝動軸（４５）から動力を伝達し、各々左側の引起装置（６１）及び中央の引起装置（６１）に引起動力を伝達する構成とし、中間引起フレーム（５８）を前記上部引起伝動筒体（４６）の上端部で且つ前記上部引起伝動軸（４５）よりも上方部位を左右方向の回動軸（４９）により上下回動自在に軸支し、前記上部引起伝動軸（４５）の左右一側に下手側ギヤ（５０）を取り付けて前記上手側ギヤ（４３）の上方に対向配置し、前記回動軸（４９）回りに上部引起伝動筒体（４６）及び中間引起フレーム（５８）を下方に回動すると、上手側ギヤ（４３）と下手側ギヤ（５０）とが噛合って動力が伝達される状態となり、回動軸（４９）回りに上部引起伝動筒体（４６）及び中間引起フレーム（５８）を上方に回動すると、上手側ギヤ（４３）と下手側ギヤ（５０）との噛み合いが外れて動力が伝達されない状態となる構成としたことを特徴とするコンバインとした。
【００１０】
請求項５記載の発明は、前記刈取搬送部（６）の後方に設けている操縦部（５）の側方に位置する防塵カバー（６３）により、前記回動軸（４９）、中間上部引起伝動軸（４５ｂ）及び前記刈取搬送部（６）の穀稈搬送装置を覆う構成としたことを特徴とする請求項１又は請求項２又は請求項３記載の刈取搬送装置とした。
【００１１】
請求項６記載の発明は、前記中間引起フレーム（５８）を前記回動軸（４９）回りに前記防塵カバー（６３）の左右両側方に配置した左右昇降シリンダ（５８，５８）により上下回動する構成としたことを特徴とする請求項１又は請求項２又は請求項３又は請求項４記載の刈取搬送装置とした。
【発明の効果】
【００１２】
請求項１記載の発明によれば、複数の引起装置（６１）の伝動を遮断した状態で上方回動して、メンテナンスを行え、迅速に刈取搬送装置の不具合を解消できるので収穫作業の能率が向上する。
【００１３】
請求項２記載の発明によれば、回動軸（４９）回りに中間引起フレーム（５８）を上方へ回動させると、引起伝動軸（４１）、上手側ギヤ（４３）を刈取搬送装置側に残した状態で、中間引起入力伝動軸（５３）及び左右中央の引起装置（６１）を上方へ回動させることができ、刈取搬送部（６）の前側中央部に広いメンテナンス空間を形成し、メンテナンス作業を容易に行なうことができる。
【００１４】
請求項３記載の発明によれば、引起伝動軸（４１）の内装されている引起伝動筒体（４２）、右引起入力伝動軸（５１）の内装されている右引起入力伝動筒体（５２）、左引起入力伝動軸（５５）、上部引起伝動軸（４５）の内装されている上部引起伝動筒体（４６）及び第２上手側ギヤ（４３ａ）を、刈取搬送装置側に残した状態で、中間引起フレーム（５８）に支持されている第２下手側ギヤ（５０ａ）、中間引起入力伝動軸（５３）及び中央の引起装置（６１）を上方回動にし、刈取搬送部（６）の前側中央に比較的広いメンテナンス空間を形成し、メンテナンス作業を容易に行なうことができる。
【００１５】
請求項４記載の発明によれば、引起伝動軸（４１）の内装されている引起伝動筒体（４２）、上手側ギヤ（４３）、右引起入力伝動軸（５１）の内装されている右引起入力伝動筒体（５２）、右側の引起装置（６１）を、走行車体（１）側に残した状態で、上部引起伝動筒体（４６）及び中間引起フレーム（５８）に支持されている上部引起伝動軸（４５）、下手側ギヤ（５０\）、中間引起入力伝動軸（５３）、中央の引起装置（６１）、左引起入力伝動軸（５５）、及び、左の引起装置（６１）を上方へ回動して比較的広いメンテナンス空間を一挙に形成し、メンテナンス作業を容易に行なうことができる。
【００１６】
請求項５の発明によれば、上記請求項１又は請求項２又は請求項３記載の発明の効果に加え、防塵（６３）により刈取搬送部（６）の搬送穀稈から飛散した塵埃が引起装置（６１）の上部から漏れるのを防止し、操縦部（５）の操縦空間をきれいに保持することができると共に、回動軸（４９）周辺への塵埃の堆積を防止することができる。
【００１７】
請求項６の発明によれば、上記請求項１又は請求項２又は請求項３及び請求項４記載の発明の効果に加えて、上部引起伝動筒体（４６）あるいは中間引起フレーム（５８）を左右昇降シリンダ（５９，５９）により円滑に上下回動することができ、また、左右昇降シリンダ（５８，５８）に干渉せずに防塵カバー（６３）を上下回動することができ、刈取搬送部（６）の穀稈搬送装置のメンテナンス作業を容易に行なうことができる。
【図面の簡単な説明】
【００１８】
【図１】コンバインの側面図
【図２】コンバインの平面図
【図３】コンバインの一部を省略した側面図
【図４】刈取搬送部の側面図
【図５】コンバインの正面図
【図６】引起装置の斜視図
【図７】コンバインの正面図
【図８】引起装置の斜視図
【図９】コンバインの前側部の平面図
【図１０】引起装置の上下回動機構を示す説明側面図
【図１１】引起装置のブロック図の正面図
【図１２】引起装置のブロック図の正面図
【図１３】引起装置のブロック図の正面図
【図１４】上手側ギヤと下手側ギヤの正面図
【発明を実施するための形態】
【００１９】
この発明の実施例を図面に基づき説明する。
図１乃至図２は、本発明を備えたコンバインを示すものであり、この走行車体１には、左右一対の走行装置２，２を備え、後部左側に脱穀装置３を搭載し、この脱穀装置３の右側にグレンタンク４を搭載し、このグレンタンク４の前側に操縦部５を設け、これら操縦部５及び脱穀装置３の前方に刈取搬送部６を昇降自在に設けている。
【００２０】
前記走行装置２，２は、走行車体１の下方に取り付けられた前後左右の４本の支持脚の下側部に多数の転輪７，…を軸支した左右転輪フレーム８，８を取り付け、多数の転輪７，…と、走行ミッションケース内の伝動装置により駆動される駆動スプロケットと、遊動ローラにクローラ９，９を巻き掛けて構成している。前記走行ミッション内の走行伝動装置は、操縦部５の下方に配置しているエンジン（図示省略）から静油圧式無段変速装置（図示省略）を介して動力が伝達される構成である。
【００２１】
脱穀装置３は、右側部に穀稈搬送用のフィードチェン１０を備え、内部には図示は省略するが、扱胴、排塵処理胴、二番処理胴を内装している上側の脱穀部と、揺動選別棚、唐箕、一番受樋、二番受樋を備えている下側の選別部とから構成している。前記フィードチェン１０の終端側部に排稾搬送チェン（図示省略）の始端側を臨ませ、排稾搬送チェンで脱穀済みの排稾を排稾カッタ２１に搬送し、排稾を裁断し圃場に放出するようにしている。
【００２２】
前記グレンタンク４は、合成樹脂製の上部タンクと鉄板製の下部受樋とで構成し、該グレンタンク４の内部より貯溜穀粒を機外へ排出する排出オーガ２２を備えている。
前記操縦部５は、エンジンを被覆するカバーの上部に操縦席２５を設け、操縦席２５の前方に前側操作パネル２６を配置し、前側操作パネル２６の右側部に機体の走行方向を左右に操向操作する操向レバー２７を設け、操縦席２５の左側に設けた側部操作パネルには主変速レバー２８、副変速レバー２９等を設けている。
【００２３】
刈取搬送部６は図３乃至図６及び図９に示すように、次のように構成している。
脱穀装置３の前側において走行車体１上に設けた刈取懸架台３２の上端部に、後フレーム３３の上側後端部を左右方向の刈取入力軸３３ａ回りに上下回動自在に支持し、この後フレーム３３の前端部に左右方向に沿わせた下部伝動ケース３４の左右中央部を取り付け、刈取入力軸３３ａから後フレーム３３内の伝動装置を経由して下部伝動ケース３４内の下部伝動軸３４ａに動力を伝達している。
【００２４】
この下部伝動ケース３４の前側面部から複数の分草パイプ３５，…を前方へ延出し、前側端部に分草杆３６，…を取り付けている。この分草パイプ３５，…の前後方向中間部に掻込搬送装置（図示省略）の前側部を支持させて設け、分草パイプ３５，…の前後方向中間部に刈刃装置３７の左右両側部を支持させている。
【００２５】
また、下部伝動ケース３４の例えば左側端部から引起伝動軸４１の内装されている引起伝動筒体４２を上方に向けて立設し、この引起伝動筒体４２の上端部に平歯車型の上手側ギヤ４３を左右方向の軸回りに回転自在に設け、引起伝動軸４１から動力を伝達している。
【００２６】
引起伝動筒体４２の上方には、左右方向の上部引起伝動軸４５の内装されている上部引起伝動筒体４６を配設し、この上部引起伝動筒体４６の上部引起伝動軸４６よりも上側部を、後フレーム３３から延出している上部フレーム４７の左右方向の回動軸４９により上下回動自在に支持し、昇降シリンダ５９，５９の伸縮により回動するように構成している。この上部引起伝動軸４５の左側端部に平歯車型の下手側ギヤ５０を、前記上手側ギヤ４３の上方部位に対向して設け、上部引起伝動軸４５が回動軸４９回りに下方へ回動すると、上手側ギヤ４３と下手側ギヤ５０とが噛み合って動力伝達状態となり、また、上部引起伝動軸４５が回動軸４９回りに上方へ回動すると、上手側ギヤ４３と下手側ギヤ５０とが離脱し、非動力伝達状態となるように構成している。
【００２７】
前記構成によると、上部フレーム４７の前側端部には左右方向の回動軸４９により上部引起伝動筒体４６の上端部で且つ上部引起伝動軸４５よりも上方部位を軸支し、上部引起伝動筒体４６を上下回動自在に支持しているので、上手側ギヤ４３，下手側ギヤ５０の左右位置の微調整を容易に行なうことができる。
【００２８】
また、上部引起伝動軸４５から右引起入力伝動軸５１を下方に向けて分岐して右引起伝動筒体５２で支持し、中間引起入力伝動軸５３を分岐して中間引起伝動筒体５４で支持し、左引起入力伝動軸５５を分岐して左引起伝動筒体５６支持し、これらを上部引起伝動筒体４６と一体状態で前下がり傾斜状に延出し、ベベルギヤ伝動手段を介して引起装置６１，…に動力を伝達している。
【００２９】
引起装置６１，…は、引起ケース６１ａの上端部に入力軸６１ｂと一体の駆動スプロケット６１ｃを軸受支持し、引起ケース６１ａの下端部に従動ローラ６１ｄを回転自在に軸受支持し、この駆動スプロケット６１ｃ、従動ローラ６１ｄ、テンションスプロケット（図示省略）に多数の引起爪６１ｅ，…を軸支しているチェン６１ｆを巻き掛けて構成している。そして、右引起入力伝動軸５１、中間引起入力伝動軸５３及び左引起入力伝動軸５５から引起ケース６１ａの入力軸力６１ｂに動力を伝達している。また、引起装置６１，…の下部を分草パイプ３５，…の前部に着脱自在に取り付けている。
【００３０】
前記構成によると、引起伝動軸４１、上手側ギヤ４３を機体側に残したままで、左右及び中央の全部の引起装置６１，…を上方に回動させて非伝動状態としながら、刈取搬送部６の前側部を広範囲に開放することができ、メンテナンスを容易にすることができる。
【００３１】
次に、図７及び図８に基づき他の実施例について説明する。
引起伝動軸４１の内装されている引起伝動筒体４２の上方には、左右方向の上部引起伝動軸４５の内装されている上部引起伝動筒体４６を配設し、引起伝動軸４１の上部と上部引起伝動軸４５の左側端部とを平歯車型の上手側ギヤ４３と下手側ギヤ５０とで動力伝達状態としている。上部引起伝動軸４５の右側端部に右引起伝動筒体５２に内装されている右引起入力伝動軸５１を、ベベルギヤ伝動手段を介して連繋し、上部引起伝動軸４５の左側部に左引起伝動筒体５６に内装されている左引起入力伝動軸５５をベベルギヤ伝動手段を介して連繋し、これらを上部引起伝動軸４５と一体的に枠組構成している。
【００３２】
中間引起フレーム５８をの上端部を左右方向の回動軸４９により上下回動自在に軸支し、中間引起伝動軸５３の上端部にベベルギヤ伝動手段を介して第２下手側ギヤ５０ａを設け、中間引起伝動軸５３の下部から中央の引起装置６１，６１に動力を伝達している。そして、第２下手側ギヤ５０ａの上方に上部引起伝動軸４５に取り付けた第２上手側ギヤ４３ａを対向して設けている。
【００３３】
しかして、回動軸４９回りに中間引起フレーム５８を下方に回動すると、上手側ギヤ４３ａと下手側ギヤ５０ａとが噛み合って動力伝達状態となり、また、中間引起フレーム５８を上方に回動すると、第２上手側ギヤ４３ａと第２下手側ギヤ５０ａとが切り離されて非動力伝達状態になる。
【００３４】
前記構成によると、引起伝動筒体４２、上手側ギヤ４３及び引起伝動軸４１及び引起伝動筒体４２を走行車体１側に支持した状態で、中間引起フレーム５８に支持されている中央の引起装置６１、第２下手側ギヤ５０ａ、中央引起入力伝動軸５３を回動させるので、中央の引起装置６１，…を楽に上方へ開放回動して比較的広いメンテナンス空間を形成できて、メンテナンスを楽に行なうことができる。
【００３５】
次に、図１１に基づき他の実施例について説明する。
前記後フレーム３３の前端部に左右方向に沿わせて下部伝動ケース３４を設け、この下部伝動ケース３４の左側端部に、引起伝動軸４１の内装されている引起伝動筒体４２の下端部を取り付けている。この引起伝動筒体４２の上部に平歯車型の上手側ギヤ４３を左右方向の軸回りに回転するように軸架し、引起伝動軸４１からベベルギヤ伝動手段を介して伝達している。
【００３６】
引起伝動筒体４２の上方には、左右方向に沿った上部引起伝動軸４５の内装されている上部引起伝動筒体４６を配設し、上部引起伝動軸４５の左側端部に下手側ギヤ５０を取り付け、前記上手側ギヤ４３の上方に対向配置している。
【００３７】
上部引起伝動軸４５を左側上部引起伝動軸４５ａ、中間上部引起伝動軸４５ｂ、右側上部引起伝動軸４５ｃに分割構成し、左側上部引起伝動軸４５ａと右側上部引起伝動軸４５ｃを同一軸上に配置し、中間上部引起伝動軸４５ｂをこれよりも後側上方に平行状に配置し、互いに伝動軸及びベベルギヤ伝動手段により動力伝達としている。
【００３８】
左側上部引起伝動軸４５ａからベベルギヤ伝動手段を介して左側引起入力筒体５６に内装されている左側引起入力伝動軸５５を下方へ分岐し、左側の引起装置６１に動力を伝達している。また、右側上部引起伝動軸４５ｃの右側端部からベベルギヤ伝動手段を介して右側引起入力伝動筒体５２に内装されている右側引起入力伝動軸５１に動力を伝達し、右側の引起装置６１に動力を伝達している。
【００３９】
中間上部引起伝動軸４５ｂの下方には上部引起伝動筒体４６と一体構成としている中間引起フレーム５８を配設し、この中間引起フレーム５８に左右方向に沿わせて中間引起入力伝動軸５３を設け、中間上部引起伝動軸４５ｂと前記中間引起入力伝動軸５３との間を、第２上手側ギヤ４３ａ、第２下手側ギヤ５０ａ、伝動軸、ベベルギヤ伝動手段を介して連繋し、中間引起入力伝動軸５３の左右両側部から中央２条（あるいは４条）の引起装置６１，…に動力を伝達している。
【００４０】
そして、上部引起伝動筒体４６を前記中間上部引起伝動軸４５ｂ回りに上下回動自在に構成している。しかして、中間上部引起伝動軸４５ｂ回りに上部引起伝動筒体４６を下方に回動すると、上手側ギヤ４３と下手側ギヤ５０とが噛み合って動力伝達状態になる。また、上部引起伝動筒体４６を上方に回動すると、上手側ギヤ４３と下手側ギヤ５０とが切り離されて非動力伝達状態になる。
【００４１】
前記構成によると、中間上部引起伝動軸４５ｂ回りに上部引起伝動筒体４６を上方へ回動させると、引起伝動軸４１の内装されている引起伝動筒体４２、上手側ギヤ４３を走行車体１側に支持した状態で、上部引起伝動筒体４６と一体的に構成されている上部引起伝動軸４５の左側上部引起伝動軸４５ａ、右側上部引起伝動軸４５ｃ、右引起入力伝動軸５１の内装されている右引起入力伝動筒体５２、左引起入力伝動軸５５の内装されている左引起入力伝動筒体５６、下手側ギヤ５０、中間引起入力伝動軸５３、及び、左右中央の全引起装置６１，…を上下回動させることができ、刈取搬送部６の前側中央部に広いメンテナンス空間を一挙に形成し、メンテナンス作業を容易に行なうことができる。
【００４２】
次に、図１２に基づき他の実施例について説明する。
前記下部伝動ケース３４の右側部に引起伝動軸４１の内装されている引起伝動筒体４２を立設し、この引起伝動筒体４２の上方には、左右方向に沿った上部引起伝動軸４５の内装されている上部引起伝動筒体４６を配設している。引起伝動筒体４２の上端部に左右方向の軸回りに回転するように平歯車型の上手側ギヤ４３を支架し、引起伝動軸４１からベベルギヤ伝動手段を介して動力を伝達し、上部引起伝動軸４５の左側端部に下手側ギヤ５０を取り付けて前記上手側ギヤ４３から動力を伝達している。また、上部引起伝動軸４５の右側端部に第２上手側ギヤ４３ａを取り付けている。
【００４３】
また、下部伝動ケース３４の右側端部に右引起入力伝動軸５１の内装されている右引起入力伝動筒体５２を立設し、下部伝動ケース３４に内装されている下部伝動軸３４ａからベベルギヤ伝動手段を介して右引起入力伝動軸５１に動力を伝達し、右引起入力伝動軸５１の上端部から右側の引起装置６１へ引起動力を伝達している。
【００４４】
前記上部引起伝動軸４５の右側に中間引起フレーム５８を配設し、この中間引起フレーム５８の上端部で且つ上部引起伝動軸４５より上方に位置している部位を前記回動軸４９により上下回動自在に軸支している。そして、中間引起フレーム５８の上部に左右方向の軸回りに回転自在に支架している第２下手側ギヤ５０ａを前記第２上手側ギヤ４３ａに対向して配置している。第２下手側ギヤ５０ａの下方に左右方向の中間引起伝動軸５３を支架し、第２下手側ギヤ５０ａから中間引起伝動軸５３の中間部にベベルギヤ伝動手段を介して動力を伝達し、中間引起伝動軸５３の左右両側から中央の２条（あるいは４条）の引起装置６１，…に引起動力を伝達している。
【００４５】
しかして、回動軸４９回りに中間引起フレーム５８を下方に回動すると、第２上手側ギヤ４３ａと第２下手側ギヤ５０ａとが噛み合って動力伝達状態となり、また、回動軸４９回りに中間引起フレーム５８を上方に回動すると、第２上手側ギヤ４３ａと第２下手側ギヤ５０ａとが切り離されて動力非伝達状態になる。
【００４６】
前記構成によると、引起伝動軸４１の内装されている引起伝動筒体４２、上手側ギヤ４３、下手側ギヤ５０、右引起入力伝動軸５１の内装されている右引起入力伝動筒体５２、左引起入力伝動軸５５の内装されている左引起入力伝動筒体５６、上部引起伝動軸４５の内装されている上部引起伝動筒体４６、第２上手側ギヤ４３ａを、走行車体１側に支持した状態で、中間引起フレーム５８に支持されている第２下手側ギヤ５０ａ、中間引起入力伝動軸５３及び中央の引起装置６１，…を上下回動させるので、中央の引起装置６１，…を上方へ楽に開放回動して比較的広いメンテナンス空間を形成し、メンテナンス作業を容易に行なうことができる。
【００４７】
次に、図１３に基づき他の実施例について説明する。
前記下部伝動ケース３４の左側部に引起伝動軸４１の内装されている引起伝動筒体４２を立設し、この引起伝動筒体４２の上方には左右方向に沿った上部引起伝動軸４５の内装されている上部引起伝動筒体４６を配設している。引起伝動筒体４２の上端部に左右方向の軸回りに回転するように平歯車型の上手側ギヤ４３を支架し、引起伝動軸４１からベベルギヤ伝動手段を介して動力を伝達している。
【００４８】
また、下部伝動ケース３４の右側端部に右引起入力伝動軸５１の内装されている右引起入力伝動筒体５２を立設し、下部伝動ケース３４に内装されている下部伝動軸３４ａからベベルギヤ伝動手段を介して右引起入力伝動軸５１に動力を伝達し、右引起入力伝動軸５１の上端部から右側の引起装置６１に引起動力を伝達している。
【００４９】
前記上部引起伝動筒体４６の右側部に中間引起フレーム５８を一体的に設け、この中間引起フレーム５８の上端部で且つ前記上部引起伝動軸４５の上方部位を左右方向の回動軸４９により上下回動自在に軸支している。そして、中間引起フレーム５８の上部における回動軸４９の下方部位に、上部引起伝動軸４５の右側部を延長して配置し、この下方に中間引起伝動軸５３を支架してベベルギヤ伝動手段を介して動力を伝達し、中間引起伝動軸５３の左右両側から中央の２条（あるいは４条）の引起装置６１，…に動力を伝達している。
【００５０】
上部引起伝動軸４５の左側部に下手側ギヤ５０を取り付け、この下手側ギヤ５０を前記上手側ギヤ４３の上方に対向配置している。上部引起伝動軸４５の左右方向中間部にベベルギヤ伝動手段を介して左引起入力伝動筒体５６に内装されている左引起入力伝動軸５５に動力を伝達し、更に、左側の引起装置６１に引起動力を伝達している。
【００５１】
しかして、回動軸４９回りに上部引起伝動筒体４６及び中間引起フレーム５８を下方に回動すると、上手側ギヤ４３と下手側ギヤ５０とが噛み合って動力伝達状態となり、また、上部引起伝動筒体４６及び中間引起フレーム５８を上方に回動すると、上手側ギヤ４３と下手側ギヤ５０とが切り離されて動力非伝達状態になる。
【００５２】
前記構成によると、引起伝動軸４１の内装されている引起伝動筒体４２、上手側ギヤ４３、右引起入力伝動軸５１の内装されている右引起入力伝動筒体５２、右側の引起装置６１を、走行車体１側に支持した状態で、上部引起伝動筒体４６及び中間引起フレーム５８に支持されている上部引起伝動軸４５、下手側ギヤ５０、中間引起入力伝動軸５３、中央の引起装置６１，…、左引起入力伝動軸５５の内装されている左引起入力伝動筒体５６、及び、左の引起装置６１を上下回動させるので、上方への開放回動を楽にしながら比較的広いメンテナンス空間を形成し、メンテナンス作業を容易に行なうことができる。
【００５３】
なお、上手側ギヤ４３（あるいは第２上手側ギヤ４３ａ）から上部引起伝動軸４５の下手側ギヤ５０（あるいは第２下手側ギヤ５０ａ）に動力を伝達するにあたり、平歯車型の上手側ギヤ４３、下手側ギヤ５０に代えて、２個のベベルギヤからなるベベルギヤ伝達手段により伝達し、上部引起伝動筒体４６（あるいは中間引起フレーム５８）を回動軸４９回りの上下回動に関連して伝動の入切をするように構成してもよい。このように構成すると、伝動入切部をコンパクトに構成することができる。
【００５４】
また、上手側ギヤ４３から上部引起伝動軸４５の下手側ギヤ５０に動力を伝達するにあたり、平歯車型の上手側ギヤ４３、下手側ギヤ５０に代えて、上下プーリ及び伝動ベルトからなる上下方向に沿ったベルト伝動装置（図示省略）により伝達するように構成し、上下プーリから伝動ベルトを取り外して上部引起伝動筒体４６を回動軸４９回りに上方へ回動して非伝動状態とし、また、下方に回動して、上下プーリに伝動ベルトを掛け回して伝動状態とするように構成してもよい。このように構成すると、伝動の入切の際にギアの潤滑油等を飛散するようなこともなく、引起装置６１，…や刈取穀稈をクリーンな状態に保持することができる。
【００５５】
また、図９に示すように、引起伝動筒体４２上端部の上手側ギヤ４３から上部引起伝動軸４５側の下手側ギヤ５０により、左右方向の回動軸４９の下方を迂回するようにして動力を伝達し、上部引起伝動筒体４６の上部後側端部を左右方向の回動軸４９により回動自在に軸支し、引起装置６１，…の後側上方部に防塵カバー６３を設けている。防塵カバー６３の前端部には前照灯（図示省略）を設けて、回動軸４９の位置を、引起装置６１，…の上方回動によって各部材が防塵カバー６３と干渉しないように構成している。
【００５６】
前記構成によると、防塵カバー６３を回動軸４９回りに上部引起伝動筒体４６を上方へ回動し動力の非伝動状態とすることができ、刈取搬送部６の上方を防塵カバー６３で被覆した状態でメンテナンス作業をすることができる。また、操縦部５をキャビン（図示省略）で被覆した場合にも、上部引起伝動筒体４６とキャビンとの干渉を回避することができる。
【００５７】
また、引起装置６１，…を前記回動軸４９回りに上下回動するにあたり、図１０（Ａ）に示すように、上部フレーム４７の前側部に回動軸４９を設け、回動軸４９と第２上手側ギヤ４３ａ、第２下手側ギヤ５０ａとの間隔を短く設定すると、狭い空間内で上下回動することができる。
【００５８】
また、図１０（Ｂ）に示すように、上部フレーム４７の前後方向中間部に回動軸４９を設け、回動軸４９と第２上手側ギヤ４３ａ、第２下手側ギヤ５０ａとの間隔を比較的長く設定すると、引起装置６１，…の回動角度が小さくてもメンテナンス空間を広くすることができる。
【００５９】
また、図１０（Ｃ）に示すように、上部フレーム４７を刈取入力軸３３ａ回りに上下回動調節自在でとし、上部フレーム４７の前側部に回動軸４９を設けると、引起装置６１，…を機体後方寄りに退避させることができ、メンテナンス空間を広くすることができる。
【００６０】
また、図１４に示すように、前記上手側ギヤ４３を下手側ギヤ５０よりも幅広に構成すると、上下回動時に着脱の外れを防止することができる。
【符号の説明】
【００６１】
１      走行車体
５      操縦部
６      刈取搬送部
３３      後フレーム
３４      下部伝動ケース
４１      引起伝動軸
４２      引起伝動筒体
４３      上手側伝動手段（上手側ギヤ）
４３ａ    第２上手側伝動手段
４５      上部引起伝動軸
４６      上部引起伝動筒体
４７      上部フレーム
４９      回動軸
５０      下手側伝動手段（下手側ギヤ）
５０ａ    第２下手側伝動手段
５１      右引起入力伝動軸
５２      右引起伝動筒体
５３      中間引起伝動軸
５５      左引起入力伝動軸
５６      左引起伝動筒体
５８      中間引起フレーム
６１      引起装置
６１ｅ    引起爪
６１ｆ    チェン
６３      防塵カバー
【図１】
2012005462.tif 000003
【図２】
2012005462.tif 000004
【図３】
2012005462.tif 000005
【図４】
2012005462.tif 000006
【図５】
2012005462.tif 000007
【図６】
2012005462.tif 000008
【図７】
2012005462.tif 000009
【図８】
2012005462.tif 000010
【図９】
2012005462.tif 000011
【図１０】
2012005462.tif 000012
【図１１】
2012005462.tif 000013
【図１２】
2012005462.tif 000014
【図１３】
2012005462.tif 000015
【図１４】
2012005462.tif 000016